(57)【要約】【課題】ＲＤＳによる情報とＤＡＲＣによる情報とが同一地点または同一地域に関する情報である場合でも、常に新しい情報を表示できるＦＭ多重放送受信機を提供する。【解決手段】受信したＤＡＲＣデータに応じた情報と、このＤＡＲＣデータの受信が完了した時点の直前に受信したＲＤＳデータに応じた情報とが同一地点または同一地域に関する情報である場合には、受信したＤＡＲＣデータが最新のＲＤＳデータよりも後に送信されたものであることを条件として、このＤＡＲＣデータに応じた情報を表示させる。【選択図】図１
2010062721.tif 000002
【特許請求の範囲】
【請求項１】
ＲＤＳ（Radio Data System）方式およびＤＡＲＣ（Data Radio Channel）方式によるＦＭ多重放送を受信可能なＦＭ多重放送受信機であって、
受信したＦＭ多重放送信号に対して前記ＲＤＳ方式に対応した復調処理および復号処理を行いＲＤＳデータとして受信するＲＤＳ受信部と、
受信したＦＭ多重放送信号に対して前記ＤＡＲＣ方式に対応した復調処理および復号処理を行いＤＡＲＣデータとして受信するＤＡＲＣ受信部と、
前記ＲＤＳデータおよび前記ＤＡＲＣデータに応じた情報を表示する表示部と、
前記表示部への前記情報の表示を制御するデータ処理部とを備え、
前記データ処理部は、
前記ＲＤＳデータが受信されると、この受信したＲＤＳデータに応じた情報を前記表示部に表示させ、
前記ＤＡＲＣデータが受信されると、この受信したＤＡＲＣデータに応じた情報と当該ＤＡＲＣデータの受信が完了した時点の直前に受信した前記ＲＤＳデータに応じた情報とが同一地点または同一地域に関する情報であるか否かの判断を行い、
前記ＤＡＲＣデータと前記ＲＤＳデータとが同一地点または同一地域に関する情報でない場合には、当該ＤＡＲＣデータに基づく情報を前記表示部に表示させ、
前記ＤＡＲＣデータと前記ＲＤＳデータとが同一地点または同一地域に関する情報である場合には、当該ＤＡＲＣデータが当該ＲＤＳデータよりも後に送信されたものであることを条件として当該ＤＡＲＣデータに応じた情報を前記表示部に表示させることを特徴とするＦＭ多重放送受信機。
【請求項２】
前記データ処理部は、
前記ＲＤＳデータを受信すると、その受信時刻を記憶し、
前記ＤＡＲＣデータを受信すると、当該ＤＡＲＣデータを構成する各パケットの受信時刻をそれぞれ記憶し、
前記ＲＤＳデータの受信時刻と、前記ＤＡＲＣデータを構成する各パケットの受信時刻のうち最も古い受信時刻とに基づいて、当該ＲＤＳデータおよび当該ＤＡＲＣデータのいずれが後に送信されたものであるかを判断することを特徴とする請求項１記載のＦＭ多重放送受信機。
【請求項３】
前記データ処理部は、
前記ＲＤＳデータの受信時刻と、前記ＤＡＲＣデータを構成する各パケットの受信時刻のうち最も古い受信時刻とに加えて、前記ＲＤＳ受信部での処理時間と、前記ＤＡＲＣ受信部での処理時間とに基づいて、当該ＲＤＳデータおよび当該ＤＡＲＣデータのいずれが後に送信されたものであるかを判断することを特徴とする請求項２記載のＦＭ多重放送受信機。
【発明の詳細な説明】
【技術分野】
【０００１】
本発明は、ＲＤＳ（Radio Data System）方式およびＤＡＲＣ（Data Radio Channel）方式の両方式によるＦＭ多重放送を受信可能に構成されたＦＭ多重放送受信機に関する。
【背景技術】
【０００２】
現在、ＦＭ多重放送としては、日本のＤＡＲＣ（Data Radio Channel）方式と、例えば欧州、中国のＲＤＳ（Radio Data System）方式と、米国のＲＢＤＳ（Radio Broadcast Data System）方式がある。このうち、ＲＢＤＳ方式は、ＲＤＳ方式に準拠しているため、以下では、ＲＢＤＳ方式はＲＤＳ方式に包含されているものとする。
【０００３】
上記したとおり、各国におけるＦＭ多重放送は、基本的にはＤＡＲＣ方式またはＲＤＳ方式のいずれかの方式が採用されている。しかし、ＲＤＳ方式を採用している国、例えば中国においても、ＲＤＳ方式と比較して多くの情報を送信することができるＤＡＲＣ方式が注目されており、既存のＲＤＳ方式に加えてＤＡＲＣ方式の放送を行うことが考えられている。このため、ＦＭ多重放送受信機においても、ＲＤＳ方式およびＤＡＲＣ方式の両方式によるＦＭ多重放送を受信可能とするものが考えられている（例えば、特許文献１〜３参照）。
【特許文献１】特開平１１−１１２４７７号公報
【特許文献２】特開平１０−２７６１８３号公報
【特許文献３】特開平１０−２７６１０５号公報
【発明の開示】
【発明が解決しようとする課題】
【０００４】
ＤＡＲＣ方式は、縦方向の誤り訂正を行うため、まとまった量のデータを受信機内のメモリに一旦保存する必要がある。このため、復号処理時間がＲＤＳ方式と比べて５秒程度長くなる。また、ＤＡＲＣ方式の場合、パケット毎の補完受信を行うため、通常の送受信に加えて再送受信を行うことになっている。例えば、日本国内のＶＩＣＳ（登録商標：Vehicle Information and Communication System）の場合、最初の送受信から１５０秒後に再送受信を行うことになっている。このため、受信機内での情報の完成は、送信時点から１５０秒に復号処理時間を加えた時間だけ後になる。
【０００５】
ＲＤＳ方式およびＤＡＲＣ方式の両方式の放送を受信可能とする場合、上記した各方式の再送周期、復号処理時間の差異などにより以下のような問題が生じる。例えば、同じ地域の交通情報についてＲＤＳ方式およびＤＡＲＣ方式の放送が行われる場合を考えてみる。まず、ＲＤＳおよびＤＡＲＣの両放送により、所定地点Ａにおいて事故による通行止めが発生した旨を示す情報が送信されたとする。この場合、受信機では、ＲＤＳによる情報は送信時点からあまり時間をかけることなく表示装置に表示される。一方、ＤＡＲＣによる情報は、上記した時間だけ後に表示装置に表示されることになる。
【０００６】
ここで、ＲＤＳによる情報が表示されてから、ＤＡＲＣによる情報が完成するまでの間にＲＤＳによる新たな更新情報が送信されると問題が生じる。すなわち、ＲＤＳにより、所定地点Ａの通行止めが解除されたという更新情報を受信し、表示装置に表示しても、その後にＤＡＲＣの再送信が行われてＤＡＲＣによる情報が完成すると、表示装置に表示される情報は、所定地点Ａにおいて通行止めが発生したという古い情報に戻ってしまう。
【０００７】
本発明は上記事情に鑑みてなされたものであり、その目的は、ＲＤＳによる情報とＤＡＲＣによる情報とが同一地点または同一地域に関する情報である場合でも、常に新しい情報を表示することができるＦＭ多重放送受信機を提供することにある。
【課題を解決するための手段】
【０００８】
請求項１記載の手段によれば、データ処理部は、ＲＤＳ受信部によりＲＤＳデータが受信されると、この受信したＲＤＳデータに応じた情報を表示部に表示させる。また、データ処理部は、ＤＡＲＣ受信部によりＤＡＲＣデータが受信されると、この受信したＤＡＲＣデータに応じた情報と、このＤＡＲＣデータの受信が完了した時点の直前に受信したＲＤＳデータ、つまり最新のＲＤＳデータに応じた情報とが同一地点または同一地域に関する情報であるか否かの判断を行う。
【０００９】
上記各情報が、同一地点または同一地域に関する情報でない場合には、表示される情報が古い情報に戻ってしまうという問題自体が生じないため、このＤＡＲＣデータに応じた情報を表示部に表示させる。一方、上記各情報が、同一地点または同一地域に関する情報である場合には、受信したＤＡＲＣデータが最新のＲＤＳデータよりも後に送信されたものであることを条件として、このＤＡＲＣデータに応じた情報を表示部に表示させる。すなわち、受信したＤＡＲＣデータが最新のＲＤＳデータよりも以前に送信されたものである場合には、その情報は表示部に表示されない。これにより、ＲＤＳによる情報とＤＡＲＣによる情報とが同一地点または同一地域に関する情報である場合でも、常に新しい情報を表示することができる。
【００１０】
請求項２記載の手段によれば、データ処理部は、ＲＤＳデータの受信時刻とＤＡＲＣデータを構成する各パケットの受信時刻のうち最も古い受信時刻とに基づいて、これらＲＤＳデータおよびＤＡＲＣデータのいずれが後に送信されたものであるかを判断する。ＤＡＲＣ方式では、最初の送信に加えて、所定時間経過後に再送信が行われるようになっている。このことから、最初の送信時に受信したパケットと、再送信時に受信したパケットとでは、受信時刻が大きく異なる場合がある。従って、本手段のように、各パケットの受信時刻のうち最も古い受信時刻からＤＡＲＣデータの最初の送信時刻を推定することで、ＲＤＳデータとＤＡＲＣデータのいずれが後に送信されたものであるかを正確に判断することができる。
【００１１】
請求項３記載の手段によれば、データ処理部は、ＲＤＳデータの受信時刻とＤＡＲＣデータを構成する各パケットの受信時刻のうち最も古い受信時刻とに加えて、ＲＤＳ受信部での処理時間とＤＡＲＣ受信部での処理時間とに基づいて、ＲＤＳデータとＤＡＲＣデータのいずれが後に送信されたものであるかを判断する。前述したように、ＤＡＲＣ方式では、ＲＤＳ方式に比べて復号処理時間が所定時間（約５秒）だけ長くなる事情がある。このような事情がある場合でも、各受信時刻からそれぞれの受信部での処理時間を減算するなどの補正を施すことで、各データの送信時刻を推定することが可能となり、ＲＤＳデータとＤＡＲＣデータのいずれが後に送信されたものであるかを一層正確に判断することができる。
【発明を実施するための最良の形態】
【００１２】
以下、本発明の一実施形態について図面を参照しながら説明する。
本実施形態では、図２（ａ）に示すように、同一放送エリア内において、ＤＡＲＣ方式によるＦＭ多重放送とＲＤＳ方式によるＦＭ多重放送とが、それぞれ異なる放送局１、２から行われる場合や、図２（ｂ）に示すように、ＤＡＲＣ方式によるＦＭ多重放送とＲＤＳ方式によるＦＭ多重放送とが同一の放送局３から行われる場合を想定している。
【００１３】
図３は、ＦＭ多重放送受信機の受信処理に係る電気的構成を機能ブロックにより示している。この図３に示すＦＭ多重放送受信機４は、ＤＡＲＣ方式およびＲＤＳ方式の両方式によるＦＭ多重放送を受信可能に構成されている。ＦＭ多重放送受信機４は、アンテナ５、フロントエンド６、ＩＦ−ＡＭＰ７、ＤＡＲＣ受信部８、ＲＤＳ受信部９、コントローラ１０、受信データ処理部１１および表示処理部１２を備えている。アンテナ５を介して受信されたＦＭ多重放送信号は、フロントエンド６およびＩＦ−ＡＭＰ７を介して中間周波数に変換されるとともに増幅される。ＩＦ−ＡＭＰ７の出力信号は、ＤＡＲＣ受信部８およびＲＤＳ受信部９にそれぞれ入力される。
【００１４】
ＤＡＲＣ受信部８は、キャリア周波数である７６ｋＨｚのバンドパスフィルタ１３と、Ｌ−ＭＳＫ復調を行うＤＡＲＣ復調部１４と、復調信号に基づいて同期再生、誤り訂正などを行うＤＡＲＣ復号部１５とを備えている。このような構成により、ＤＡＲＣ受信部８は、ＦＭ多重放送信号に基づく上記出力信号をＤＡＲＣデータとして受信する。ＲＤＳ受信部９は、キャリア周波数である５７ｋＨｚのバンドパスフィルタ１６と、ＢＰＳＫ復調を行うＲＤＳ復調部１７と、復調信号に基づいて同期再生、誤り訂正などを行うＲＤＳ復号部１８とを備えている。このような構成により、ＲＤＳ受信部９は、ＦＭ多重放送信号に基づく上記出力信号をＲＤＳデータとして受信する。
【００１５】
ＤＡＲＣ受信部８から出力されるＤＡＲＣデータと、ＲＤＳ受信部９から出力されるＲＤＳデータとは、受信データ処理部１１に与えられる。受信データ処理部１１（データ処理部に相当）は、各データに対する種々の処理を行う。受信データ処理部１１は、各データに基づく情報を図示しない表示装置に表示させるためのデータを表示処理部１２へ出力する。この受信データ処理部１１および前述のフロントエンド６は、コントローラ１０により、その動作が制御されるようになっている。コントローラ１０は、ＣＰＵ、ＲＯＭ、ＲＡＭなどを備えたマイクロコンピュータを主体として構成されている。表示処理部１２は、受信データ処理部１１から与えられるデータに基づいて図示しない表示装置に情報を表示させる。なお、本実施形態では、表示処理部１２と図示しない表示装置とが表示部に相当する。
【００１６】
本実施形態におけるＦＭ多重放送信号に重畳された情報は道路交通情報である。また、表示装置は、例えばナビゲーション装置の液晶モニタなどであり、表示処理部１２は、液晶モニタに表示された地図上に単に交通情報を表示させるだけでなく、例えば渋滞している道路を太く表示させたりするなど、表示に係る様々なデータ処理などを行う。なお、ＦＭ多重放送信号に重畳される情報は、気象情報や株式情報などであってもよい。その場合、表示処理部１２が行うデータ処理も、情報の種類や内容に応じて適宜変更すればよい。また、表示装置は、ナビゲーション装置の液晶モニタに限られない。
【００１７】
続いて、受信データ処理部１１が行うデータ処理のうち表示に係る制御について、図１のフローチャートに基づいて説明する。受信データ処理部１１は、ＦＭ多重放送信号を受信する度、つまりＲＤＳデータまたはＤＡＲＣデータが与えられる度に、この図１のフローチャートに示される制御を実行する。
【００１８】
ＤＡＲＣ受信部８またはＲＤＳ受信部９からデータが与えられると、ＲＤＳ情報（グループデータ）が正常に完成しているか否かを判断する（ステップＳ１）。ＲＤＳデータは、それぞれが情報データとチェック符号（チェックビット）とからなる４つのブロックにより構成されている。このため、ステップＳ１では、４つのブロックに付加されているチェック符号が全て正常であること（ＯＫ）を示す場合、ＲＤＳ情報が正常に完成したと判断する。このとき、このＲＤＳ情報が完成した時刻（ＲＤＳデータの受信時刻に相当）を記録する。ＲＤＳ情報が正常に完成したと判断すると（ステップＳ１で［ＹＥＳ］）、ステップＳ２に進む。ステップＳ２では、完成したＲＤＳ情報を表示させるためのデータを表示処理部１２に出力して処理を終了する（ＥＮＤ）。
【００１９】
一方、ＲＤＳ情報が正常に完成していないと判断すると（ステップＳ１で［ＮＯ］）、ＤＡＲＣ情報（ページデータ）が正常に完成しているか否かを判断する（ステップＳ３）。ＤＡＲＣデータは、複数の情報用パケット（ブロック）および誤り訂正用パケットにより構成されている。このため、ステップＳ２では、全ての情報用パケットに付加されているＣＲＣ（Cyclic Redundancy Check）が全て正常であること（ＯＫ）を示す場合、ＤＡＲＣ情報が正常に完成したと判断する。このとき、ＤＡＲＣデータを構成する各パケットの受信時刻を記録する。
【００２０】
ここで、ＤＡＲＣ情報が正常に完成していないと判断すると（ステップＳ３で［ＮＯ］）、ステップＳ４に進む。ステップＳ４では、正常に受信することができたパケットのみをメモリに保存するとともに、これらパケット毎の受信時刻を記録して処理を終了する（ＥＮＤ）。
【００２１】
一方、ＤＡＲＣ情報が正常に完成していると判断すると（ステップＳ３で［ＹＥＳ］）、ステップＳ５に進む。ステップＳ５では、このとき完成したＤＡＲＣ情報と、この直前に完成したＲＤＳ情報（この時点での最新のＲＤＳ情報）とを比較し、これら情報が同一の地点または同一の地域に関する情報であるか否かを判断する。同一の地点（地域）に関する情報ではない場合（ステップＳ５で［ＮＯ］）、ステップＳ６に進む。ステップＳ６では、完成したＤＡＲＣ情報を表示させるためのデータを表示処理部１２に出力して処理を終了する（ＥＮＤ）。
【００２２】
これに対し、同一の地点（地域）に関する情報である場合（ステップＳ５で［ＹＥＳ］）、ステップＳ７に進む。ステップＳ７では、上記ＲＤＳ情報の受信時刻と、ＤＡＲＣ情報を構成するパケットの受信時刻のうち最も前のもの（古いもの）とを比較する。この理由は、以下のとおりである。
【００２３】
すなわち、従来技術において述べたように、ＤＡＲＣ方式では、最初のデータ送信（初回送信）に加えて再送信を行うことになっている。このため、同一のＤＡＲＣ情報を構成するパケットについても、初回送信時に正常に受信できたものと、再送信時に正常に受信できたものとでは、受信時刻の差が約１５０秒もある（ただし、国内ＶＩＣＳの場合）。このため、本実施形態では、ＤＡＲＣ情報を構成するパケットの受信時刻のうち最も古い時刻Ｔｄｎと、上記ＲＤＳ情報の受信時刻Ｔｒとを比較することにより、当該ＤＡＲＣ情報およびＲＤＳ情報のいずれの情報が後から送信されたものか、つまり新しい情報であるかの判断を行う。
【００２４】
例えば、図４に示すように、初回送信時にＮｏ．４、Ｎｏ．５のパケットを正常に受信し、再送信時にＮｏ．１〜Ｎｏ．３のパケットを正常に受信した場合、最も受信時刻が前のものは、Ｎｏ．４のパケットの受信時刻Ｔｄ４となる。従って、この場合、Ｎｏ．４のパケットの受信時刻Ｔｄ４とＲＤＳ情報の受信時刻Ｔｒとを比較する。ただし、ＲＤＳ方式とＤＡＲＣ方式とでは、復号処理時間に約５秒の差があるため、ＤＡＲＣのパケットの受信時刻Ｔｄ４からこの差（約５秒）を差し引いて比較を行う。
【００２５】
この結果、ＤＡＲＣ情報がＲＤＳ情報よりも後から送信された情報、つまり新しい情報であると判断した場合（ステップＳ７で［ＹＥＳ］）、ステップＳ６に進む。一方、ＤＡＲＣ情報がＲＤＳ情報よりも前に送信された情報、つまり古い情報であると判断した場合（ステップＳ７で［ＮＯ］）には、ＤＡＲＣ情報を表示させるためのデータを出力することなく、処理を終了する（ＥＮＤ）。
【００２６】
次に、本実施形態の作用について図５も参照して説明する。
図５は、ＦＭ多重放送の送信側（放送局）と、受信側（ＦＭ多重放送受信機４）とにおけるデータ（信号）の流れを示すタイミング図である。図５において、Ｄｎ、Ｒｎは、それぞれＤＡＲＣ情報、ＲＤＳ情報を示している。また、ｎは、情報の更新順序を示している。つまり、ｎが大きいものほど新しい情報となっている。
【００２７】
放送局からＤＡＲＣ情報Ｄ１を示すＦＭ多重放送信号の初回送信が行われると（時刻ｔ１）、ＦＭ多重放送受信機４側では、正常に受信できたパケットのみをメモリに保存する。その後、ＤＡＲＣ情報Ｄ１を示すＦＭ多重放送信号の再送信が行われる前に、ＲＤＳ情報Ｒ１を示すＦＭ多重放送信号が送信されると（時刻ｔ２）、ＦＭ多重放送受信機４側では、ＲＤＳ情報Ｒ１を正常に受信でき次第、その情報の表示を行う（時刻ｔ３）。
【００２８】
続いて、ＤＡＲＣ情報Ｄ１の再送信が行われると（時刻ｔ４）、ＦＭ多重放送受信機４側では、ＤＡＲＣ情報Ｄ１が正常に完成する（時刻ｔ５）。ここで、上記した受信データ処理部１１の制御により、このＤＡＲＣ情報Ｄ１と直近に受信したＲＤＳ情報であるＲ１との情報の鮮度の比較、つまりＤ１とＲ１のいずれが新しい情報であるかの判断を行う。この場合、ＤＡＲＣ情報Ｄ１の初回送信の時刻が、ＲＤＳ情報Ｒ１の送信時刻よりも前であるため、ＤＡＲＣ情報Ｄ１は、ＲＤＳ情報Ｒ１よりも古い情報であると判断され、このＤＡＲＣ情報Ｄ１は表示されない。
【００２９】
その後、ＤＡＲＣ情報Ｄ２の初回送信が行われると（時刻ｔ６）、ＦＭ多重放送受信機４側では、正常に受信できたパケットのみをメモリに保存する。そして、ＤＡＲＣ情報Ｄ２の再送信が行われると（時刻ｔ７）、ＦＭ多重放送受信機４側では、ＤＡＲＣ情報Ｄ２が正常に完成する（時刻ｔ８）。ここで、上記同様、ＤＡＲＣ情報Ｄ１と、直近に受信したＲＤＳ情報であるＲ１との情報の鮮度を比較する。この場合、ＤＡＲＣ情報Ｄ２の初回送信の時刻が、ＲＤＳ情報Ｒ１の送信時刻よりも後であるため、ＤＡＲＣ情報Ｄ２は、ＲＤＳ情報Ｒ１よりも新しい情報であると判断され、このＤＡＲＣ情報Ｄ２が表示される。その後、ＲＤＳ情報Ｒ２の送信が行われると（時刻ｔ９）、ＦＭ多重放送受信機４側では、ＲＤＳ情報Ｒ２を正常に受信でき次第、その情報の表示を行う（時刻ｔ１０）。
【００３０】
以上説明したように、本実施形態のＦＭ多重放送受信機４は、受信したＤＡＲＣデータに応じた情報と、このＤＡＲＣデータの受信が完了した時点の直前に受信したＲＤＳデータに応じた情報とが同一地点または同一地域に関する情報である場合には、受信したＤＡＲＣデータが上記ＲＤＳデータよりも後に送信されたものであることを条件として、このＤＡＲＣデータに応じた情報を表示させる。すなわち、受信したＤＡＲＣデータが、この受信時点における最新のＲＤＳデータよりも前に送信されたものである場合には、その情報は表示させない。これにより、例えば、ＲＤＳによる最新の情報が表示されている状態において、その表示がＤＡＲＣによる古い情報に書き換えられてしまう事態を防止できる。つまり、ＲＤＳによる情報とＤＡＲＣによる情報とが同一地点または同一地域に関する情報である場合でも、常に新しい情報を表示することができる。
【００３１】
受信データ処理部１１では、ＲＤＳデータの受信時刻とＤＡＲＣデータを構成する各パケットの受信時刻のうち最も古い受信時刻とに基づいて、これらＲＤＳデータおよびＤＡＲＣデータのいずれが後に送信されたものであるかを判断する。このようにすることで、再送信を行う必要のあるＤＡＲＣデータと、ＲＤＳデータのいずれが後に送信されたものであるかを正確に判断することができる。
【００３２】
受信データ処理部１１では、ＤＡＲＣデータを構成する各パケットの受信時刻のうち最も古い受信時刻からＤＡＲＣ受信部８での復号処理時間とＲＤＳ受信部９での復号処理時間との差に相当する時間を減算した時刻に基づいて、そのＤＡＲＣデータの送信時刻を推定している。このようにすることで、復号処理時間に差があるＲＤＳデータとＤＡＲＣデータのいずれが後に送信されたものであるかを一層正確に判断することができる。
【００３３】
なお、本発明は上記し且つ図面に記載した実施形態に限定されるものではなく、次のような変形または拡張が可能である。
ＤＡＲＣ受信部８およびＲＤＳ受信部９での復号処理時間の差が、送信時刻の判断に影響を及ぼさない程度であるならば、図１のステップＳ７において復号処理時間の差（５秒）を減算せずともよい。また、この減算する時間は５秒に限らずともよい。例えば、ＤＡＲＣ受信部８での全ての処理時間とＲＤＳ受信部９での全ての処理時間との差に相当する時間を減算するようにしてもよい。
本実施形態では、ＤＡＲＣデータを構成する各パケットの受信時刻のうち最も古い受信時刻がＤＡＲＣデータの初回送信時刻であると推定しているが、これに限らず、ＤＡＲＣデータが正常に完成した時刻と再送間隔（例えば１５０秒）とに基づいて、ＤＡＲＣデータの初回送信時刻を推定してもよい。
【図面の簡単な説明】
【００３４】
【図１】受信データ処理部の制御内容を示すフローチャート
【図２】ＦＭ多重放送の態様を概略的に示す図
【図３】ＦＭ多重放送受信機の受信処理に係る電気的構成を示すブロック図
【図４】ＤＡＲＣデータを構成する各パケットの受信時刻を示す図
【図５】ＦＭ多重放送の送受信間でのデータの流れを示すタイミング図
【符号の説明】
【００３５】
図面中、４はＦＭ多重放送受信機、８はＤＡＲＣ受信部、９はＲＤＳ受信部、１１は受信データ処理部（データ処理部）、１２は表示処理部（表示部）を示す。
【図１】
2010062721.tif 000003
【図２】
2010062721.tif 000004
【図３】
2010062721.tif 000005
【図４】
2010062721.tif 000006
【図５】
2010062721.tif 000007